(57)【要約】【課題】情報端末装置が取得した情報に関連するエリアをユーザが把握し易い表示制御方法、プログラム、及び表示制御システムを提供する。【解決手段】表示制御方法は、第１領域と、第２領域とを表示する表示部を有する情報端末装置１の表示制御方法である。表示制御方法は、入力ステップＳ１０１と、関連付けステップＳ１０２と、表示ステップＳ１０３とを有する。入力ステップＳ１０１は、第２領域に表示させる画像の入力を受け付ける。関連付けステップＳ１０２は、入力ステップＳ１０１で入力された画像をエリア画像として所定のエリアに関連付ける。表示ステップＳ１０３は、エリア情報を第１領域に表示させ、エリア画像を第２領域に表示させる。【選択図】図１
2017228001.tif 000002
【特許請求の範囲】
【請求項１】
所定のエリアに関するエリア情報が表示される第１領域と、前記所定のエリアに関するエリア画像が表示される第２領域とを表示する表示部を有する情報端末装置の表示制御方法であって、
前記情報端末装置のユーザによる、前記第２領域に表示させる画像の入力を受け付ける入力ステップと、
前記入力ステップで入力された画像を前記エリア画像として前記所定のエリアに関連付ける関連付けステップと、
前記エリア情報として、前記所定のエリアの状態に関するエリア状態情報と、前記所定のエリアに設置された機器の状態に関する機器状態情報との少なくとも一方を前記第１領域に表示させ、前記エリア画像を前記第２領域に表示させる表示ステップと、
を有することを特徴とする表示制御方法。
【請求項２】
前記エリア状態情報は、前記所定のエリアの環境に関する環境情報であることを特徴とする請求項１記載の表示制御方法。
【請求項３】
前記環境情報は、前記所定のエリアの温度、湿度、空気質、及び照度に関する情報のうち少なくとも１つ以上の情報を含むことを特徴とする請求項２記載の表示制御方法。
【請求項４】
前記関連付けステップは、前記情報端末装置に直接的又は間接的に関連付けられた他の情報端末装置において変更された前記エリア画像を取得したとき、取得した前記エリア画像を前記所定のエリアに関連付けるステップを含むことを特徴とする請求項１乃至３のいずれか１項に記載の表示制御方法。
【請求項５】
前記所定のエリアのレイアウト及び用途のうち少なくとも一方の変化の有無を推定する推定ステップと、
前記推定ステップにおいて前記変化があると推定したとき、前記エリア画像の更新を前記ユーザに促す報知をする報知ステップと、
をさらに有することを特徴とする請求項１乃至４のいずれか１項に記載の表示制御方法。
【請求項６】
前記推定ステップは、前記所定のエリアにおいて消費されるエネルギーに基づいて前記変化の有無を推定することを特徴とする請求項５記載の表示制御方法。
【請求項７】
コンピュータに、請求項１乃至６のいずれか１項に記載の表示制御方法を実行させることを特徴とするプログラム。
【請求項８】
所定のエリアに関するエリア情報が表示される第１領域と、前記所定のエリアに関するエリア画像が表示される第２領域とを表示する表示部を有する情報端末装置を制御する表示制御システムであって、
前記情報端末装置のユーザによる、前記第２領域に表示させる画像の入力を受け付ける入力部と、
前記入力部に入力された画像を前記エリア画像として前記所定のエリアに関連付ける関連付け部と、
前記エリア情報として、前記所定のエリアの状態に関するエリア状態情報と、前記所定のエリアに設置された機器の状態に関する機器状態情報との少なくとも一方を前記第１領域に表示させ、前記エリア画像を前記第２領域に表示させる表示制御部と、
を備えることを特徴とする表示制御システム。
【発明の詳細な説明】
【技術分野】
【０００１】
本発明は、一般に表示制御方法、プログラム、及び表示制御システムに関し、より詳細には、取得した情報を表示する表示部を有する情報端末装置の表示制御方法、プログラム、及び表示制御システムに関する。
【背景技術】
【０００２】
従来、需要家（customer）が使用した電力使用量といった情報を、情報端末装置に表示させるシステムが知られており、たとえば特許文献１に開示されている。特許文献１に記載の電力計量器検針・表示システム（表示制御システム）は、需要家が使用した電力使用量を計量する電力計量器と、需要家宅の屋内で使用する屋内表示装置（情報端末装置）とを備えている。屋内表示装置は、電力計量器から送信された、検針された使用量データについて表示する表示手段（表示部）を有する。
【先行技術文献】
【特許文献】
【０００３】
【特許文献１】特開２０１４−１３００１５号公報
【発明の概要】
【発明が解決しようとする課題】
【０００４】
上記従来例のような表示制御システムでは、ユーザは、表示部を見ることで情報端末装置が取得した情報を確認することができるが、取得した情報に関連するエリアがどのようなエリアであるかを把握し難いという問題があった。
【０００５】
本発明は、上記の点に鑑みてなされており、情報端末装置が取得した情報に関連するエリアをユーザが把握し易い表示制御方法、プログラム、及び表示制御システムを提供することを目的とする。
【課題を解決するための手段】
【０００６】
本発明の一態様に係る表示制御方法は、所定のエリアに関するエリア情報が表示される第１領域と、前記所定のエリアに関するエリア画像が表示される第２領域とを表示する表示部を有する情報端末装置の表示制御方法である。前記表示制御方法は、入力ステップと、関連付けステップと、表示ステップとを有する。前記入力ステップは、前記情報端末装置のユーザによる、前記第２領域に表示させる画像の入力を受け付ける。前記関連付けステップは、前記入力ステップで入力された画像を前記エリア画像として前記所定のエリアに関連付ける。前記表示ステップは、前記エリア情報として、エリア状態情報と、機器状態情報との少なくとも一方を前記第１領域に表示させ、前記エリア画像を前記第２領域に表示させる。前記エリア状態情報は、前記所定のエリアの状態に関する情報である。前記機器状態情報は、前記所定のエリアに設置された機器の状態に関する情報である。
【０００７】
また、本発明の一態様に係るプログラムは、コンピュータに、上記の表示制御方法を実行させる。
【０００８】
また、本発明の一態様に係る表示制御システムは、所定のエリアに関するエリア情報が表示される第１領域と、前記所定のエリアに関するエリア画像が表示される第２領域とを表示する表示部を有する情報端末装置を制御する表示制御システムである。前記表示制御システムは、入力部と、関連付け部と、表示制御部とを備える。前記入力部は、前記情報端末装置のユーザによる、前記第２領域に表示させる画像の入力を受け付ける。前記関連付け部は、前記入力部で入力された画像を前記エリア画像として前記所定のエリアに関連付ける。前記表示制御部は、前記エリア情報として、エリア状態情報と、機器状態情報との少なくとも一方を前記第１領域に表示させ、前記エリア画像を前記第２領域に表示させる。前記エリア状態情報は、前記所定のエリアの状態に関する情報である。前記機器状態情報は、前記所定のエリアに設置された機器の状態に関する情報である。
【発明の効果】
【０００９】
本発明は、情報端末装置が取得した情報に関連するエリアをユーザが把握し易い。
【図面の簡単な説明】
【００１０】
【図１】図１Ａは、本発明の実施形態１に係る表示制御システムに用いられる情報端末装置を示すブロック図である。図１Ｂは、本発明の実施形態１に係る表示制御システムにおける、表示制御方法を示すフローチャートである。
【図２】図２は、同上の表示制御システムを示すシステム構成図である。
【図３】図３は、同上の表示制御システムにおいて、エリア画像を入力する前に表示される情報画面の一例を示す図である。
【図４】図４は、同上の表示制御システムにおいて、エリア画像を入力する際に表示される情報画面の一例を示す図である。
【図５】図５は、同上の表示制御システムにおいて、エリア画像を入力した後に表示される情報画面の一例を示す図である。
【図６】図６は、同上の表示制御システムにおいて、機器状態情報を表示した情報画面の一例を示す図である。
【図７】図７Ａは、本発明の実施形態２に係る表示制御システムに用いられるサーバ装置を示すブロック図である。図７Ｂは、本発明の実施形態２に係る表示制御システムにおける、表示制御方法を示すフローチャートである。
【図８】図８Ａは、同上の表示制御システムにおいて、所定のエリアが子供部屋である場合の電力使用のパターンを示すグラフである。図８Ｂは、同上の表示制御システムにおいて、所定のエリアが物置部屋である場合の電力使用のパターンを示すグラフである。
【図９】図９は、同上の表示制御システムにおいて、更新を促すメッセージを表示した情報画面の一例を示す図である。
【発明を実施するための形態】
【００１１】
（実施形態１）
（１）全体概要
本実施形態では、取得した情報を表示する表示部１１を有する情報端末装置１の表示制御方法と、表示制御システム１０とについて説明する。本実施形態において、表示制御システム１０は、図１Ａに示すように情報端末装置１により構成されている。
【００１２】
情報端末装置１は、所定のエリアに関するエリア情報と、所定のエリアに関するエリア画像とを表示部１１に表示するように構成されている。ここで、「所定のエリア」とは、たとえば部屋などの建物内の一区画を意味する。もちろん、「所定のエリア」は、屋外の一区画であってもよい。本実施形態では、図２に示すように、需要家施設（facility）５内の部屋５ａを所定のエリアとして説明する。また、ここでいう「需要家施設」は、電力の需要家の施設を意味しており、電力会社等の電気事業者から電力の供給を受ける施設だけでなく、太陽光発電設備等の自家発電設備から電力の供給を受ける施設も含む。本実施形態では、戸建住宅を需要家施設５の一例として説明する。
【００１３】
表示制御システム１０は、たとえば情報端末装置１の所有者であるユーザによる画像の入力を受け付ける。そして、表示制御システム１０は、入力された画像をエリア画像としてエリア情報に関連付けて、表示部１１に表示させる。したがって、ユーザは、表示部１１に表示されたエリア情報及びエリア画像を見ることで、所定のエリアの状態等だけでなく、所定のエリアがどのような外観であったかを視覚的に確認することができる。
【００１４】
なお、表示制御システム１０によるサービスの提供を受けるユーザ（情報端末装置１の所有者）は、住人（需要家施設５の使用者）と同一人である。ここで、「需要家施設５の使用者」は、需要家施設５を使用する人を意味しており、需要家施設５が住宅である本実施形態においては、需要家施設５の住人である。また、需要家施設５の住人が複数人である場合には、「需要家施設５の使用者」は、複数の住人のうちの一人を指すこともあり、二人以上（全員も含む）を指すこともある。以下では「需要家施設５の使用者」を単に「住人」ともいう。
【００１５】
（２）構成
本実施形態の表示制御システム１０は、図２に示すように、計測システム２０、サーバ装置３と連携している。そこで、以下では、表示制御システム１０、計測システム２０、及びサーバ装置３について説明する。
【００１６】
（２．１）表示制御システム
先ず、本実施形態の表示制御システム１０の構成について図１Ａを用いて説明する。本実施形態では、表示制御システム１０は、上述したように情報端末装置１により構成されている。
【００１７】
情報端末装置１は、一例としてスマートフォンであり、表示部１１と、表示制御部１２と、通信部１３と、入力部１４と、記憶部１５と、関連付け部１６とを備えている。情報端末装置１は、ＣＰＵ（Central Processing Unit）及びメモリを有するコンピュータを主構成としている。そして、情報端末装置１では、ＣＰＵがメモリに格納されているプログラムを実行することにより、コンピュータを入力部１４、表示制御部１２、及び関連付け部１６として機能させる。プログラムは、ここではインターネットなどの電気通信回線を通じて、あるいはメモリカードなどの記録媒体に記録されて提供されるが、コンピュータのメモリに予め記録されていてもよい。
【００１８】
表示部１１は、表示制御部１２に制御されることにより、画面を表示する。本実施形態では、情報端末装置１は、タッチパネルディスプレイを搭載したスマートフォンである。このため、タッチパネルディスプレイが表示部１１として機能する。
【００１９】
本実施形態では、表示部１１は、画面の一つとして情報画面１１０を表示するように構成されている。ここで、情報画面１１０の一例について図３を用いて説明する。情報画面１１０には、図３に示すように、情報画面１１０の長手方向（図３における上下方向）に沿って並んだ複数（ここでは、４つ）の区画１１１〜１１４が表示されている。
【００２０】
図３に示す例では、区画１１１には、子供部屋を所定のエリアとした情報が表示されている。また、区画１１２，１１３，１１４には、それぞれリビング、寝室、応接間を所定のエリアとした情報が表示されている。なお、情報画面１１０の一部が表示部１１に収まらない場合、ユーザは、画面をスクロールする操作を行うことで、その一部を表示部１１に表示させることができる。
【００２１】
複数の区画１１１〜１１４の各々には、第１領域Ａ１（Ａ１１〜Ａ１４）と、第２領域Ａ２（Ａ２１〜Ａ２４）とが表示されている。第１領域Ａ１には、所定のエリアに関するエリア情報が表示されている。エリア情報は、大別して、エリア状態情報と、機器状態情報との少なくとも一方を含む。エリア状態情報は、所定のエリアの状態に関する情報である。機器状態情報は、所定のエリアに設置された機器の状態に関する情報である。
【００２２】
図３に示す例では、区画１１１〜１１４の各々の第１領域Ａ１１〜Ａ１４には、エリア状態情報である環境情報が表示されている。たとえば、区画１１１の第１領域Ａ１１には、所定のエリア（子供部屋）の温度、湿度の他、空気質（ここでは、匂い、ＰＭ２．５、ハウスダスト）に関する情報が表示されている。ここでは、空気質は５段階のレベルで表示されているが、具体的な計測値など、他の表示態様で表示されてもよい。また、区画１１２の第１領域Ａ１２には、所定のエリア（リビング）の温度、湿度に関する情報が表示されている。
【００２３】
このように、図３に示す例では、情報画面１１０には、所定のエリアの環境に関する環境情報が所定のエリアごとに表示されている。ここで、環境情報は、所定のエリアの温度、湿度、空気質の他に、所定のエリアの照度に関する情報を含んでいてもよい。また、環境情報は、所定のエリアの温度、湿度、空気質、照度に関する情報のうち少なくとも１つ以上の情報を含んでいればよい。
【００２４】
ところで、エリア状態情報は、上述の環境情報に限定されない。エリア状態情報は、環境情報の他に、たとえば所定のエリアにおける人の存否に関する情報などであってもよい。
【００２５】
第２領域Ａ２には、所定のエリアに関するエリア画像が表示されている。エリア画像は、たとえば所定のエリアを撮像することで得られる、所定のエリアの外観を表す写真である。もちろん、エリア画像は、所定のエリアを撮像した写真に限られず、ユーザにとって所定のエリアの特徴を把握できるような画像であればよい。所定のエリアの特徴は、たとえば所定のエリアのレイアウトや用途、所定のエリアの使用者の所有物（たとえば、ぬいぐるみや勉強机など）である。図３に示す例では、４つの第２領域Ａ２の各々には、未だエリア画像が設定されていないので、エリア画像の設定を促すようなデフォルト画像が表示されている。
【００２６】
その他、図３に示す例では、情報画面１１０の上部には、情報画面１１０に表示する情報を切り替えるための切替アイコンＢ１が表示されている。切替アイコンＢ１は、「環境」という文字が表示された矩形状の第１アイコンＢ１１と、「機器・センサ」という文字が表示された矩形状の第２アイコンＢ１２とからなる。本実施形態では、ユーザは、切替アイコンＢ１を操作することにより、エリア状態情報と機器状態情報とのいずれか一方を択一的に第１領域Ａ１に表示させることができる。図３に示す例では、切替アイコンＢ１のうち第１アイコンＢ１１が選択されているため、区画１１１〜１１４の各々の第１領域Ａ１には、エリア状態情報が表示されている。
【００２７】
表示制御部１２は、表示部１１に表示させる画面（たとえば、情報画面１１０など）を作成し、表示部１１を制御することにより、作成した画面を表示部１１に表示させる機能を有する。つまり、スマートフォンからなる情報端末装置１は、専用のアプリケーションソフトをインストールし、このアプリケーションソフトを起動することにより、表示部１１を制御するための表示制御部１２としての機能を実現する。表示制御部１２が情報画面１１０を作成する機能の詳細については、「（３）制御方法」の項目において説明する。
【００２８】
なお、表示制御部１２は、上述の情報画面１１０を常に表示部１１に表示させるのではなく、入力部１４がユーザによる特定の操作を受け付けたときに、情報画面１１０を表示部１１に表示させるように構成されているのが好ましい。
【００２９】
通信部１３は、たとえばインターネットからなるネットワーク４（図２参照）に接続されることで、情報端末装置１（表示制御システム１０）と計測システム２０、サーバ装置３との間の通信を可能にする。ここでは、情報端末装置１はスマートフォンであるから、通信部１３は、通信事業者が提供する携帯電話網（キャリア網）を介してネットワーク４に接続される。携帯電話網には、たとえば３Ｇ（第３世代）回線、ＬＴＥ（Long Term Evolution）回線等がある。なお、通信部１３は、公衆無線ＬＡＮ（Local Area Network）を介してネットワーク４に接続されてもよい。
【００３０】
入力部１４は、ユーザの操作による入力を受け付ける機能を有している。本実施形態では、既に述べたように、情報端末装置１がタッチパネルディスプレイを搭載したスマートフォンであるので、タッチパネルディスプレイが入力部１４として機能する。ただし、入力部１４は、タッチパネルディスプレイに限らず、たとえばキーボードやポインティングデバイス、メカニカルなスイッチなどであってもよい。
【００３１】
本実施形態では、入力部１４は、区画１１１〜１１４の各々の第２領域Ａ２に表示させる画像の入力を受け付ける機能も有する。この機能の詳細については、「（３）制御方法」の項目において説明する。
【００３２】
記憶部１５は、たとえばフラッシュメモリなどの電気的に書き換え可能な不揮発性の半導体メモリで構成される。記憶部１５は、たとえば入力部１４に入力された画像などを記憶している。
【００３３】
関連付け部１６は、入力部１４に入力された画像を、エリア画像として所定のエリアに関連付ける機能を有する。関連付け部１６の機能の詳細については、「（３）制御方法」の項目において説明する。
【００３４】
（２．２）計測システム
次に、本実施形態の計測システム２０の構成について説明する。
【００３５】
計測システム２０は、図２に示すように、計測ユニット２１と、通信アダプタ２２と、電流センサ２３，２４とを備えている。計測ユニット２１、通信アダプタ２２、及び電流センサ２３，２４は、分電盤６のキャビネット内に配置されている。分電盤６は、系統電源９に電気的に接続される主幹ブレーカ６１と、主幹ブレーカ６１の二次側に電気的に接続された複数の分岐ブレーカ６２とをキャビネット内に備えている。
【００３６】
計測ユニット２１は、電流センサ２３，２４に電気的に接続されている。電流センサ２３は、主幹ブレーカ６１の一次側に設けられ、幹線を流れる電流の値を計測する。電流センサ２４は、複数の分岐ブレーカ６２に対応して設けられ、複数の分岐回路に流れる電流の値をそれぞれ計測する。ここでいう「分岐回路」は、複数の分岐ブレーカ６２にて幹線から分岐された各回路を意味する。「分岐回路」には、分岐ブレーカ６２に接続される配線、照明器具や調理家電等の機器６３、コンセント（アウトレット）、壁スイッチなどを含んでいる。このような分岐回路は、本実施形態のように住宅からなる需要家施設５においては、たとえばリビング、寝室、玄関、トイレ、子供部屋、キッチン等の部屋ごと、かつ照明器具、調理家電、エアコン（エアーコンディショナ）等の機器の種類ごとに設けられる。１つの分岐回路には、１つの機器６３が含まれてもよいし、複数の機器６３が含まれてもよい。
【００３７】
計測ユニット２１は、電流センサ２３，２４の出力を用いて、幹線及び複数の分岐回路の各々について、消費電力と消費電力量との少なくとも一方を計測する。通信アダプタ２２は、計測ユニット２１で計測された計測値を、計測システム２０の計測値として需要家施設５に設けられたコントローラ４０（後述する）へ無線により送信する。計測ユニット２１で計測された計測値は、瞬時電力を表す消費電力であってもよいし、あるいは一定時間における電力の消費量（使用量）を表す消費電力量であってもよい。また、計測ユニット２１で計測された計測値は、消費電力と消費電力量との両方であってもよい。
【００３８】
ここで、図２に示す例では、１つの分岐回路（分岐ブレーカ６２）に接続されるエアコン６３ａ（６３）及び空気清浄機６３ｂ（６３）と、温湿度センサ６４と、空気質センサ６５とを備えた部屋５ａが、所定のエリアの一例として図示されている。もちろん、部屋５ａには、必ずしも温湿度センサ６４及び空気質センサ６５の両方が備わっている必要はない。たとえば、部屋５ａには、温湿度センサ６４及び空気質センサ６５のいずれか一方のみが備わっていてもよい。また、部屋５ａには、温湿度センサ６４及び空気質センサ６５の両方が備わっていなくてもよい。さらに、温湿度センサ６４は、エアコン６３ａに搭載されていてもよい。また、空気質センサ６５は、空気清浄機６３ｂに搭載されていてもよい。
【００３９】
温湿度センサ６４は、部屋５ａ（所定のエリア）の温度及び湿度を計測する。温湿度センサ６４は、計測した温度及び湿度の計測値を、コントローラ４０へ無線により送信する。空気質センサ６５は、部屋５ａ（所定のエリア）の空気質を計測する。本実施形態では、空気質センサ６５は、匂い、ＰＭ２．５、ハウスダストの各々を空気質として個別に計測する機能を有している。空気質センサ６５は、計測した空気質の計測値を、コントローラ４０へ無線により送信する。
【００４０】
空気質センサ６５は、匂い用のセンサと、ＰＭ２．５及びハウスダスト用のセンサとの２つのセンサで構成されていてもよい。また、空気質センサ６５は、匂い用のセンサと、ＰＭ２．５用のセンサと、ハウスダスト用のセンサとの３つのセンサで構成されていてもよい。その他、空気質センサ６５は、花粉や一酸化炭素（CO）、二酸化炭素（CO2）を空気質として計測する機能を有していてもよい。
【００４１】
コントローラ４０は、ルータ７を介してネットワーク４に接続されている。コントローラ４０は、計測システム２０で計測された計測値と、温湿度センサ６４及び空気質センサ６５の各々で計測された計測値とを定期的にサーバ装置３へ送信する。
【００４２】
（２．３）サーバ装置
次に、本実施形態のサーバ装置３の構成について説明する。
【００４３】
サーバ装置３は、図２に示すように、情報端末装置１にネットワーク４を介して接続されている。サーバ装置３は、需要家施設５ごとに、計測システム２０で計測された計測値を、分岐ブレーカ６２ごとに時系列データとしてコントローラ４０から取得する。そして、サーバ装置３は、計測システム２０で計測された計測値を、分岐ブレーカ６２の識別子に対応付けて需要家施設５ごとに記憶する。
【００４４】
また、サーバ装置３は、需要家施設５ごとに、温湿度センサ６４、空気質センサ６５の各々で計測された計測値を、センサ６４，６５ごとに時系列データとしてコントローラ４０から取得する。そして、サーバ装置３は、温湿度センサ６４、空気質センサ６５で計測された計測値を、それぞれの識別子に対応付けて需要家施設５ごとに記憶する。また、サーバ装置３は、需要家施設５ごとに、ユーザにより設定された設定情報もコントローラ４０から取得して記憶する。設定情報の詳細については、「（２．５）エリア情報の設定」の項目において説明する。
【００４５】
また、サーバ装置３は、たとえば情報端末装置１からの要求により、要求されたエリア情報のうち対応する計測システム２０、温湿度センサ６４、空気質センサ６５の各々で計測された計測値を、ネットワーク４を介して情報端末装置１へ送信する。
【００４６】
（２．４）その他の構成
本実施形態では、図２に示す情報端末装置８又は情報端末装置８ａを表示制御システム１０とすることが可能である。
【００４７】
情報端末装置８は、一例として表示部８１を備えるスマートフォンである。情報端末装置８は、情報端末装置１と同様の構成を有している。情報端末装置１との相違点は、サーバ装置３との接続方法である。情報端末装置８の通信部は、たとえばルータ７との間でＷｉ−Ｆｉ（登録商標）に準拠した近距離無線通信の機能を有している。情報端末装置８が需要家施設５内にある場合には、情報端末装置８の通信部は、短距離無線通信によりルータ７及びネットワーク４を介してサーバ装置３と接続される。なお、情報端末装置８は、スマートフォンに限らず、たとえばタブレット端末などの携帯端末であってもよい。同様に、情報端末装置１も、タブレット端末などの携帯端末であってもよい。
【００４８】
また、情報端末装置８ａは、一例として表示部８１ａを備えたＨＥＭＳモニタである。情報端末装置８ａは、情報端末装置１と同様の構成を有している。情報端末装置１との相違点は、サーバ装置３との接続方法である。情報端末装置８ａの通信部は、たとえばルータ７との間でケーブルにより接続されている。情報端末装置８ａの通信部は、ケーブルでルータ７に接続されることで、ルータ７及びネットワーク４を介してサーバ装置３と接続される。
【００４９】
なお、情報端末装置８ａは、ケーブルを介さずに、コントローラ４０と直接通信可能に構成されてもよい。情報端末装置８ａの通信方式は、有線通信に限らず、たとえばＷｉ−Ｆｉ（登録商標）、又は免許を必要としない小電力無線（特定小電力無線）等の無線通信であってもよい。この種の小電力無線については、用途等に応じて使用する周波数帯域や空中線電力等の仕様が各国で規定されている。日本国においては、９２０ＭＨｚ帯又は４２０ＭＨｚ帯の電波を使用する小電力無線が規定されている。
【００５０】
（２．５）エリア情報の設定
本実施形態では、情報端末装置１は、サーバ装置３に要求することにより、複数の区画１１１〜１１４の各々に表示するエリア情報をサーバ装置３から取得している。ここで、複数の区画１１１〜１１４の各々に表示するエリア情報は予め設定されている。たとえば、図３に示すように、区画１１１には、所定のエリアである子供部屋のエリア情報が表示されるように設定されている。
【００５１】
本実施形態では、ユーザは、情報端末装置８ａを操作することでエリア情報の設定を行う。たとえば、区画１１１に表示するエリア情報を設定する場合、ユーザは、情報端末装置８ａを操作することにより、所定のエリアの名称（子供部屋）を区画１１１に関連付ける。その他、ユーザは、情報端末装置８ａを操作することにより、所定のエリアに設置された機器６３や温湿度センサ６４、空気質センサ６５の各々の識別子を区画１１１に関連付ける。これにより、区画１１１には、サーバ装置３から取得した所定のエリアの名称や、所定のエリアに設置された機器の状態の情報、所定のエリアでの計測値などの情報が表示されるようになる。
【００５２】
設定されたエリア情報は、設定情報としてコントローラ４０に送信され、コントローラ４０に記憶される。ここで、ユーザは、たとえば情報端末装置１，８を操作することでエリア情報の設定を行ってもよい。この場合、情報端末装置１，８で設定されたエリア情報が、設定情報としてサーバ装置３に送信され、サーバ装置３に記憶される。
【００５３】
（３）制御方法
以下、本実施形態の表示制御システム１０（情報端末装置１）の行う処理、言い換えれば、表示制御方法について説明する。以下では、ユーザが所定のエリア（ここでは、子供部屋）のエリア画像を区画１１１に設定する場合について図１Ａ、図１Ｂ、図３〜図５を用いて説明する。なお、エリア画像の設定前においては、図３に示すように、複数の区画１１１〜１１４の各々の第２領域Ａ２１〜Ａ２４にはデフォルト画像が表示されている。
【００５４】
先ず、図３に示すように表示部１１に情報画面１１０が表示されている状態において、ユーザは、区画１１１の第２領域Ａ２１（Ａ２）を選択する入力を行う。ここでは、表示部１１がタッチパネルディスプレイであるため、ユーザは、第２領域Ａ２１（Ａ２）に触れることで入力する。これにより、表示制御部１２は、表示部１１を制御することで、図４に示すように、ユーザに第２領域Ａ２１（Ａ２）に表示させる画像の入力を促す選択アイコンＣ１を情報画面１１０に表示させる。つまり、図１Ｂに示すように、情報端末装置１のユーザによる、第２領域Ａ２１（Ａ２）に表示させる画像の入力を受け付ける入力ステップＳ１０１が実行される。言い換えれば、入力部１４は、第２領域Ａ２１（Ａ２）を選択する入力を受け付けると、情報端末装置１のユーザによる、第２領域Ａ２１（Ａ２）に表示させる画像の入力を受け付ける状態となる。
【００５５】
選択アイコンＣ１は、第１選択アイコンＣ１１と、第２選択アイコンＣ１２とからなり、いずれも矩形状である。また、選択アイコンＣ１が情報画面１１０に表示されている間は、情報画面１１０における選択アイコンＣ１を除いた領域が比較的暗く表示され、選択アイコンＣ１が比較的明るく表示される。第１選択アイコンＣ１１には、所定のエリアを撮像することで第２領域Ａ２１（Ａ２）に表示させる画像を入力するようにユーザに促す「新しい写真を撮影」というメッセージが表示される。第２選択アイコンＣ１２には、情報端末装置１に記憶されている画像から第２領域Ａ２１（Ａ２）に表示させる画像を選択して入力するようにユーザに促す「アルバムから追加」というメッセージが表示される。
【００５６】
ユーザが第１選択アイコンＣ１１を選択すると、情報端末装置１に搭載されたカメラが起動する。そして、ユーザがカメラを用いて所定のエリア（ここでは、子供部屋）を撮像することで、入力部１４は、撮像された画像を第２領域Ａ２１（Ａ２）に表示させる画像として取得する。
【００５７】
一方、ユーザが第２選択アイコンＣ１２を選択すると、表示制御部１２は、表示部１１を制御することで、情報端末装置１の記憶部１５に記憶された画像の一覧を表示させる。そして、ユーザが画像の一覧から所定のエリア（ここでは、子供部屋）に適した画像を選択することで、入力部１４は、当該画像を第２領域Ａ２１（Ａ２）に表示させる画像として取得する。
【００５８】
つまり、入力部１４は、ユーザの操作による入力を受け付ける機能と、ユーザの操作による入力に応じて画像を取得する機能とを有する。そして、入力部１４は、取得した画像を関連付け部１６に与える。
【００５９】
関連付け部１６は、入力部１４から与えられた画像（つまり、入力部１４で入力された画像）を、エリア画像として所定のエリア（ここでは、子供部屋）に関連付ける処理を実行する。そして、関連付け部１６は、関連付けた情報を表示制御部１２に与える処理を実行する。つまり、図１Ｂに示すように、入力ステップＳ２０１で入力された画像を、エリア画像として所定のエリア（ここでは、子供部屋）に関連付ける関連付けステップＳ１０２が実行される。
【００６０】
すると、表示制御部１２は、情報画面１１０を表示部１１に表示させている状態においては、図５に示すように、サーバ装置３から取得したエリア状態情報をエリア情報として区画１１１の第１領域Ａ１１（Ａ１）に表示させる。また、表示制御部１２は、関連付け部１６で所定のエリア（ここでは、子供部屋）に関連付けられたエリア画像を区画１１１の第２領域Ａ２１（Ａ２）に表示させる。つまり、図１Ｂに示すように、エリア情報として、エリア状態情報を第１領域Ａ１１（Ａ１）に表示させ、エリア画像を第２領域Ａ２１（Ａ２）に表示させる表示ステップＳ２０３が実行される。
【００６１】
ここで、図５に示すような情報画面１１０が表示されている状態において、ユーザが第２アイコンＢ１２を選択する入力を行うと、表示制御部１２は、図６に示すように、エリア情報としてサーバ装置３から取得した機器状態情報を第１領域Ａ１１（Ａ１）に表示させる。図６に示す例では、第１領域Ａ１１（Ａ１）には、所定のエリア（ここでは、子供部屋）に設置されたエアコン６３ａ、空気清浄機６３ｂ、温湿度センサ６４、及び空気質センサ６５の動作状態が表示される。もちろん、表示制御部１２は、エリア状態情報及び機器状態情報の両方を同時に第１領域Ａ１１（Ａ１）に表示させてもよい。
【００６２】
その他、表示制御部１２は、たとえばユーザが区画１１１を選択する入力を受け付けた場合、選択した区画１１１に対応する所定のエリアの詳細な情報を表示部１１に表示させてもよい。たとえば、表示制御部１２は、詳細な情報として、空気質や温度、湿度の経時変化の履歴をグラフとして表示部１１に表示させてもよい。
【００６３】
以降、表示制御部１２は、エリア画像の設定変更があるまでは、設定されたエリア画像を第２領域Ａ２１（Ａ２）に表示させる。また、表示制御部１２は、エリア情報に関しては、サーバ装置３から定期的に（たとえば数秒ごとに）取得したエリア情報を第１領域Ａ１１（Ａ１）に表示させる。
【００６４】
（４）効果
エリア画像を表示しない情報端末装置を用いる場合、ユーザは、エリアの名称を見ただけでは所定のエリアの外観を思い浮かべることが困難であり、所定のエリアがどのようなエリアであるかを把握し難い。
【００６５】
一方、本実施形態の表示制御方法を採用することにより、本実施形態の情報端末装置１は、所定のエリアのエリア情報と、所定のエリアに関するエリア画像とを表示部１１に表示する。したがって、ユーザは、エリア情報と併せてエリア画像を見ることで、所定のエリアの外観を思い浮かべることが容易であり、結果として所定のエリアがどのようなエリアであるかを容易に把握することができる。
【００６６】
また、本実施形態の表示制御方法では、エリア画像の設定をユーザに委ねている。このため、ユーザは、自身にとって所定のエリアであると把握し易い特徴を捉えた画像を、エリア画像として設定することができる。したがって、ユーザは、エリア画像をユーザの意思に依らず設定される場合と比較して、所定のエリアをより把握し易い。
【００６７】
ここで、本実施形態では、情報端末装置１でエリア画像を設定すると、設定したエリア画像がサーバ装置３に送信され、サーバ装置３で記憶される。そして、１つのコントローラ４０に複数台の情報端末装置１が関連付けられている場合、これらの情報端末装置１のうちの１台でエリア画像を設定すると、設定されたエリア画像がサーバ装置３に送信される。そして、サーバ装置３が他の情報端末装置１に向けてエリア画像を送信することにより、設定したエリア画像が複数台の情報端末装置１の間で同期される。言い換えれば、関連付けステップＳ１０２は、情報端末装置１に直接的又は間接的に関連付けられた他の情報端末装置において変更されたエリア画像を取得したとき、取得したエリア画像を所定のエリアに関連付けるステップを含んでいる。
【００６８】
このため、本実施形態では、いずれか１台の情報端末装置１でエリア画像を設定すれば、コントローラ４０に関連付けられた全ての情報端末装置１でエリア画像が設定されるので、エリア画像の設定の手間を省くことができる。なお、エリア画像の同期は、サーバ装置３を経由せずに、コントローラ４０に関連付けられた複数の情報端末装置１間で行ってもよい。
【００６９】
（実施形態２）
以下、実施形態２の表示制御方法、及び表示制御システム１０について説明する。ただし、本実施形態の表示制御システム１０は、サーバ装置３の構成が異なる以外は実施形態１の表示制御システム１０と共通しているので、共通する点については説明を省略する。また、本実施形態の表示制御方法についても、後述する「（２）制御方法」の項目で説明する制御方法以外の方法は、実施形態１の表示制御方法と共通しているので、共通する点については説明を省略する。
【００７０】
（１）構成
本実施形態の表示制御システム１０では、図７Ａに示すように、サーバ装置３は、推定部３１と、報知部３２とを備えている。
【００７１】
推定部３１は、所定のエリアのレイアウト及び用途のうち少なくとも一方の変化（以下では、単に「所定のエリアの様子の変化」という）の有無を判定する。本実施形態では、推定部３１は、所定のエリアにおいて消費されるエネルギー（ここでは、電力）に基づいて、上記変化の有無を推定する。推定部３１の推定機能の詳細については、「（２）制御方法」の項目において説明する。
【００７２】
報知部３２は、推定部３１において所定のエリアの様子の変化があると推定したとき、エリア画像の更新をユーザに促す報知をする。本実施形態では、報知部３２は、情報端末装置１にプッシュ通知することにより報知する。報知部３２の報知機能の詳細については、「（２）制御方法」の項目において説明する。
【００７３】
（２）制御方法
以下、本実施形態の表示制御システム１０（情報端末装置１）の行う処理、言い換えれば、表示制御方法について図７Ａ〜図９を用いて説明する。以下では、所定のエリアが子供部屋であって、子供が独り立ちすることにより、その後、物置部屋に変更される場合について説明する。
【００７４】
サーバ装置３の推定部３１は、所定のエリアでの消費電力量の時系列データをコントローラ４０から取得し、消費電力量のパターンの変化を監視することで、所定のエリアの様子の変化の有無を推定する。つまり、図７Ｂに示すように、所定のエリアの様子の変化の有無を推定する推定ステップＳ２０１が実行される。ここで、消費電力量のパターンとは、たとえば消費電力量の推移である。
【００７５】
そして、推定ステップＳ２０１において上記変化があると推定したときは（ステップＳ２０２：Ｙｅｓ）、後述する報知ステップＳ２０３が実行される。一方、推定ステップＳ２０１において上記変化がないと推定したときは（ステップＳ２０２：Ｎｏ）、推定ステップＳ２０１が繰り返される。
【００７６】
ここで、子供部屋での消費電力量のパターンを図８Ａに、物置部屋での消費電力量のパターンを図８Ｂに示す。子供部屋を使用している子供は、大別して「就寝」、「起床」、「通学のために部屋を離れる」、「帰宅後の部屋の滞在」のパターンを繰り返すと考えられる。このため、「起床」時（図８Ａでは、６時〜８時）、及び「帰宅後の部屋の滞在」時（図８Ａでは、１６時〜２４時）には、照明の点灯や、子供部屋に設置されている電気機器の使用により、電力が消費される。電気機器は、たとえばテレビやオーディオ機器、パーソナルコンピュータである。また、「就寝」時（図８Ａでは、２４時〜６時）、及び「通学のために部屋を離れる」時（図８Ａでは、８時〜１６時）には、子供部屋に子供がいないため、電力が殆ど消費されない。
【００７７】
一方、物置部屋では、人が立ち入ることは殆ど無くなるため、電力が消費されることも殆ど無い。
【００７８】
つまり、所定のエリアが子供部屋から物置部屋に変更された場合、所定のエリアのレイアウト及び用途が変化すると、所定のエリアで消費されるエネルギー（ここでは、電力）のパターンが変化する。したがって、推定部３１は、所定のエリアが子供部屋から物置部屋に変更された場合、消費エネルギーのパターンに変化があることから、所定のエリアの様子が変化したと推定する。
【００７９】
上記の推定機能により、たとえば所定のエリアが父親の書斎から子供部屋に変更された場合も、所定のエリアの様子が変化したと推定することが可能である。つまり、所定のエリアが書斎の場合、父親が夜間の特定時間帯において書斎を使用することにより、電力が消費されると考えられる。一方、書斎が子供部屋として使用されるようになると、上述のように消費電力量のパターンが変化する。したがって、この場合も、消費エネルギーのパターンに変化があることから、上記の推定機能により所定のエリアの様子が変化したと推定することができる。
【００８０】
さらに、上記の推定機能は、住戸だけでなく、他の需要家施設５にも適用することが可能である。たとえば、需要家施設５が商業ビルであって、所定のエリアがオフィスである場合、その従業員の就業時間帯に亘って電力が使用される。一方、オフィスを引っ越す等して所定のエリアが倉庫として使用されるようになると、物置部屋と同様に人が立ち入ることは殆ど無くなるため、電力の消費が殆ど無くなる。したがって、オフィスにおける消費エネルギーのパターンと、倉庫における消費エネルギーのパターンとが異なるため、上記の推定機能により、所定のエリアの様子が変化したと推定することができる。
【００８１】
推定部３１は、１日ごとに所定のエリアの様子の変化の有無を推定してもよいが、たとえば旅行などにより子供が家を離れている場合、所定のエリアの様子の変化があったと推定する可能性がある。そこで、推定部３１は、たとえば１週間ごとや１月ごと等、比較的長期間を空けて所定のエリアの様子の変化の有無を推定するのが好ましい。
【００８２】
また、推定部３１は、消費エネルギーとして電力のパターンの変化を監視しているが、たとえばガスや水などの他の消費エネルギーのパターンの変化を監視してもよい。
【００８３】
推定部３１において所定のエリアの様子の変化があったと推定されると、推定部３１は、推定結果を報知部３２に与える。そして、報知部３２は、プッシュ通知により、エリア画像の更新をユーザに促す報知を行う。プッシュ通知を受けた情報端末装置１では、表示制御部１２が表示部１１を制御することにより、図９に示すようにユーザにエリア画像の更新を促すアイコンＤ１を情報画面１１０に表示させる。
【００８４】
アイコンＤ１が情報画面１１０に表示されている間は、情報画面１１０におけるアイコンＤ１を除いた領域が比較的暗く表示され、アイコンＤ１が比較的明るく表示される。また、アイコンＤ１には、エリア画像の更新をユーザに促すメッセージが表示される。図９に示す例では、変化前の所定のエリアが子供部屋であるため、アイコンＤ１には、「子供部屋の画像を更新しましょう」というメッセージが表示される。
【００８５】
（３）効果
通常、ユーザの手により、所定のエリアのレイアウトや用途が変更される。したがって、ユーザは、所定のエリアの様子が変化した場合、変化があったことを知っている。ここで、上述の推定機能及び報知機能が無い場合、所定のエリアの様子が変化したとしても、エリア画像を更新しなければならないことにユーザが気付かなければ、エリア画像が更新されない。したがって、この場合、現在のエリア画像と、実際の所定のエリアの様子とが異なることになる。ユーザは、実際の所定のエリアの様子を記憶しているため、エリア画像を見ても、そのエリア画像が表す所定のエリアがどのようなエリアであるかを把握し難い。
【００８６】
一方、本実施形態の表示制御方法を採用することにより、本実施形態の情報端末装置１は、所定のエリアの様子が変化したことをユーザに報知することができる。このため、ユーザは、エリア画像を更新しなければならないことに気付き易い。そして、ユーザによりエリア画像が更新されれば、変化後の所定のエリアの様子と、更新したエリア画像とが略一致するため、ユーザは、エリア画像が表す所定のエリアを把握し易い。
【００８７】
ところで、報知部３２は、プッシュ通知以外の手段により、エリア画像の更新をユーザに促す報知を行ってもよい。たとえば、サーバ装置３が定期的に情報端末装置１に情報を配信している場合、報知部３２は、配信している情報に付随してエリア画像の更新を通知してもよい。
【００８８】
また、１つのコントローラ４０に複数台の情報端末装置１が関連付けられている場合、これらの情報端末装置１のうちの１台でエリア画像が更新されると、サーバ装置３を経由して他の情報端末装置１でもエリア画像が更新されるのが好ましい。この構成では、いずれか１台の情報端末装置１でエリア画像を更新すれば、コントローラ４０に関連付けられた全ての情報端末装置１でエリア画像が更新されるので、エリア画像の更新の手間を省くことができる。なお、エリア画像の同期は、サーバ装置３を経由せずに、コントローラ４０に関連付けられた複数の情報端末装置１の間で行ってもよい。
【００８９】
また、推定ステップＳ２０１において、たとえば所定のエリアに設置した画像センサを用いて所定のエリアの様子の変化の有無を推定してもよい。つまり、推定ステップＳ２０１において、画像センサで撮像された画像をエリア画像と定期的に比較し、撮像画像とエリア画像との差分の如何によって所定のエリアの様子の変化を推定してもよい。この方法では、所定のエリアに存在する小物（たとえば、ゴミ箱など）の位置の変化は無視するようにフィルタリングするのが好ましい。
【００９０】
また、推定ステップＳ２０１において、たとえば分岐回路への電気機器の接続の有無により、所定のエリアの様子の変化の有無を推定してもよい。つまり、推定ステップＳ２０１において、たとえばプラグイン方式で分岐回路に接続される電気機器の通電状態を定期的に監視することにより、所定のエリアに電気機器が導入されたか否か、及び所定のエリアから電気機器が移動したか否かを判定する。そして、所定のエリアに所定数以上の電気機器が導入された場合、又は所定のエリアから所定数以上の電気機器が移動した場合に、所定のエリアの様子が変化したと推定してもよい。
【００９１】
さらに、所定のエリアに複数の分岐回路が設けられている場合は、所定のエリアにおいて電気機器の位置を移動した場合でも、所定のエリアの様子に変化があったと推定することが可能である。たとえば、所定のエリアの北側のコンセントに接続されていた電気機器が、所定のエリアの南側のコンセントに接続されるようになった場合、所定のエリアの様子が変化したと推定することができる。
【００９２】
その他、推定ステップＳ２０１において、たとえば所定のエリアに設置した空気質センサ６５を用いて所定のエリアの様子の変化を推定してもよい。つまり、推定ステップＳ２０１において、空気質センサ６５で計測された空気質の計測値の変化を定期的に監視することにより、所定のエリアの様子の変化を推定してもよい。たとえば、所定のエリアが子供部屋から物置部屋に変更された場合、変更の前後で所定のエリアの空気質が変化すれば、所定のエリアの様子に変化があったと推定することができる。
【００９３】
以上述べたように、本発明に係る第１の態様の表示制御方法は、第１領域Ａ１と、第２領域Ａ２とを表示する表示部１１を有する情報端末装置１の表示制御方法である。第１領域Ａ１には、所定のエリアに関するエリア情報が表示される。第２領域Ａ２には、所定のエリアに関するエリア画像が表示される。表示制御方法は、入力ステップＳ１０１と、関連付けステップＳ１０２と、表示ステップＳ１０３とを有する。入力ステップＳ１０１は、情報端末装置１のユーザによる、第２領域Ａ２に表示させる画像の入力を受け付けるステップである。関連付けステップＳ１０２は、入力ステップＳ１０１で入力された画像をエリア画像として所定のエリアに関連付けるステップである。表示ステップＳ１０３は、エリア情報として、エリア状態情報と、機器状態情報との少なくとも一方を第１領域Ａ１に表示させ、エリア画像を第２領域Ａ２に表示させるステップである。エリア状態情報は、所定のエリアの状態に関する情報である。機器状態情報は、所定のエリアに設置された機器の状態に関する情報である。
【００９４】
この構成によると、情報端末装置１の表示部１１には、所定のエリアのエリア情報と、所定のエリアに関するエリア画像とが表示される。したがって、ユーザは、エリア情報と併せてエリア画像を見ることで、所定のエリアの外観を思い浮かべることが容易であり、結果として所定のエリアがどのようなエリアであるかを容易に把握することができる。つまり、情報端末装置１が取得した情報に関連するエリアをユーザが把握し易い。
【００９５】
また、本発明に係る第２の態様の表示制御方法では、第１の態様において、エリア状態情報は、所定のエリアの環境に関する環境情報である。
【００９６】
この構成によると、ユーザは、情報端末装置１の表示部１１を見ることで、所定のエリアの環境を視覚的に把握し易い。
【００９７】
また、本発明に係る第３の態様の表示制御方法では、第２の態様において、環境情報は、所定のエリアの温度、湿度、空気質、及び照度に関する情報のうち少なくとも１つ以上の情報を含む。
【００９８】
この構成によると、ユーザは、情報端末装置１の表示部１１を見ることで、所定のエリアの環境のうち、特にユーザの生活に直接影響を及ぼすと考えられる環境を視覚的に把握し易い。
【００９９】
また、本発明に係る第４の態様の表示制御方法では、第１〜第３のいずれかの態様において、関連付けステップＳ１０２は、以下のステップを含んでいる。つまり、関連付けステップＳ１０２は、情報端末装置１に直接的又は間接的に関連付けられた他の情報端末装置１において変更されたエリア画像を取得したとき、取得したエリア画像を所定のエリアに関連付けるステップを含んでいる。
【０１００】
この構成によると、互いに関連付けられた複数の情報端末装置１が存在する場合に、いずれか１台の情報端末装置１でエリア画像を設定すれば、他の情報端末装置１で同様の設定を行う必要がなく、エリア画像の設定の手間を省くことができる。
【０１０１】
また、本発明に係る第５の態様の表示制御方法は、第１〜第４のいずれかの態様において、推定ステップＳ２０１と、報知ステップＳ２０３とをさらに有している。推定ステップＳ２０１は、所定のエリアのレイアウト及び用途のうち少なくとも一方の変化の有無を推定するステップである。報知ステップＳ２０３は、推定ステップＳ２０１において上記変化があると推定したとき、エリア画像の更新をユーザに促す報知をするステップである。
【０１０２】
この構成によると、所定のエリアの様子が変化した場合に、ユーザにエリア画像の変更を促すことができる。このため、所定のエリアの様子が変化したにも関わらずエリア画像が更新されないことにより、ユーザが所定のエリアを把握し難くなる事態を回避し易くすることができる。
【０１０３】
また、本発明に係る第６の態様の表示制御方法では、第５の態様において、推定ステップＳ２０１は、所定のエリアにおいて消費されるエネルギーに基づいて上記変化の有無を推定するステップである。
【０１０４】
この構成によると、エネルギー（たとえば、電力）の消費量を計測するシステムを導入している場合、当該システムで計測されたエネルギーの消費量の履歴を利用して所定のエリアの様子の変化を推定することが可能である。したがって、この構成では、所定のエリアの様子の変化を推定するシステムを別途構築する必要がなく、システムを構築するためのコストと手間とを省くことができる。
【０１０５】
ところで、上述の第１〜第６の態様のいずれかの表示制御方法をコンピュータに実行させてもよい。言い換えれば、本発明に係る第７の態様のプログラムは、第１〜第６の態様のいずれかの表示制御方法をコンピュータに実行させる。
【０１０６】
この構成によると、情報端末装置１が取得した情報に関連するエリアをユーザが把握し易い。
【０１０７】
また、上述の第１〜第６の態様のいずれかの表示制御方法は、表示制御システム１０として実現されてもよい。つまり、本発明に係る第８の態様の表示制御システム１０は、第１領域Ａ１と、第２領域Ａ２とを表示する表示部１１を有する情報端末装置１を制御するシステムである。第１領域Ａ１には、所定のエリアに関するエリア情報が表示される。第２領域Ａ２には、所定のエリアに関するエリア画像が表示される。表示制御システム１０は、入力部１４と、関連付け部１６と、表示制御部１２とを備える。入力部１４は、情報端末装置１のユーザによる、第２領域Ａ２に表示させる画像の入力を受け付ける。関連付け部１６は、入力部１４で入力された画像をエリア画像として所定のエリアに関連付ける。表示制御部１２は、エリア情報として、エリア状態情報と、機器状態情報との少なくとも一方を第１領域Ａ１に表示させ、エリア画像を第２領域Ａ２に表示させる。エリア状態情報は、所定のエリアの状態に関する情報である。機器状態情報は、所定のエリアに設置された機器の状態に関する情報である。
【０１０８】
この構成によると、情報端末装置１が取得した情報に関連するエリアをユーザが把握し易い。
【０１０９】
（変形例）
ところで、実施形態１，２では、入力部１４、関連付け部１６、及び表示制御部１２は、情報端末装置１が備えているが、他の構成であってもよい。たとえば、入力部１４、関連付け部１６、及び表示制御部１２は、サーバ装置３、コントローラ４０、及び情報端末装置１のうち少なくとも１つの装置によって構成されていてもよい。また、入力部１４、関連付け部１６、及び表示制御部１２の機能は、たとえばクラウド（クラウドコンピューティング）によって実現されていてもよい。つまり、表示制御システム１０は、入力部１４、関連付け部１６、及び表示制御部１２を備えていればよく、各部がどのような態様で設けられているかは問わない。実施形態２において、サーバ装置３が備える推定部３１及び報知部３２についても同様である。
【０１１０】
また、実施形態１では、情報端末装置１の備えるプロセッサが入力ステップＳ１０１、関連付けステップＳ１０２、及び表示ステップＳ１０３を実行しているが、他の構成であってもよい。たとえば、情報端末装置１、コントローラ４０、及びサーバ装置３の少なくとも１つの装置の備えるプロセッサが、入力ステップＳ１０１、関連付けステップＳ１０２、及び表示ステップＳ１０３を実行してもよい。つまり、表示制御方法は、入力ステップＳ１０１、関連付けステップＳ１０２、及び表示ステップＳ１０３を有していればよく、各ステップがどのプロセッサで実行されるかは問わない。実施形態２において、サーバ装置３の備えるプロセッサが実行する推定ステップＳ２０１及び報知ステップＳ２０３についても同様である。
【０１１１】
また、実施形態２では、サーバ装置３は、推定部３１と、報知部３２とを１つの装置が備えているが、複数の装置に分散させてもよい。
【０１１２】
また、コントローラ４０は、需要家施設５に設置されたスマートメータと通信可能に構成されていてもよい。この場合、計測システム２０で計測される計測値の代わりに、スマートメータで計測された値を用いてもよい。
【０１１３】
また、分岐回路ごとの電流（電力）の計測には、主幹ブレーカ６１に設けられた電流センサ２３又は上記スマートメータを用いてもよい。
【０１１４】
以上、本発明の実施形態１，２に係る表示制御方法、プログラム、及び表示制御システム１０について説明した。ただし、以上に説明した構成は、本発明の一例に過ぎず、本発明は、上記の構成に限定されず、上記の構成以外であっても、本発明に係る技術的思想を逸脱しない範囲であれば、設計等に応じて種々の変更が可能である。
【符号の説明】
【０１１５】
１  情報端末装置
１０  表示制御システム
１１  表示部
１２  表示制御部
１４  入力部
１６  関連付け部
Ａ１，Ａ１１〜Ａ１４  第１領域
Ａ２，Ａ２１〜Ａ２４  第２領域
Ｓ１０１  入力ステップ
Ｓ１０２  関連付けステップ
Ｓ１０３  表示ステップ
Ｓ２０１  推定ステップ
Ｓ２０３  報知ステップ
【図１】
2017228001.tif 000003
【図２】
2017228001.tif 000004
【図３】
2017228001.tif 000005
【図４】
2017228001.tif 000006
【図５】
2017228001.tif 000007
【図６】
2017228001.tif 000008
【図７】
2017228001.tif 000009
【図８】
2017228001.tif 000010
【図９】
2017228001.tif 000011